(57)【要約】信号の入出力のための接続端子へのノイズの混入を低減できる電力供給装置を提供する。クレードル装置３は、筐体１８と、筐体１８から露出するプラス給電端子２１Ｐ及びマイナス給電端子２１Ｎと、筐体内に設けられ、プラス給電端子２１Ｐ及びマイナス給電端子２１Ｎを互いに異なる固定電位に設定する充電器５２と、筐体１８から露出し、プラス給電端子２１Ｐとマイナス給電端子２１Ｎとの間にプラス給電端子Ｐ及びマイナス給電端子２１Ｎに隣接して配置された入力端子２１Ｓと、筐体１８内に設けられ、入力端子２１Ｓに入力された信号に基づいて動作する増幅器５１とを備える。
2007094334.tif 000002
【特許請求の範囲】
【請求項１】
筐体と、
前記筐体から露出する第１給電端子及び第２給電端子と、
前記筐体内に設けられ、前記第１給電端子及び前記第２給電端子を互いに異なる固定電位に設定するように構成された電力供給部と、
前記筐体から露出し、前記第１給電端子と前記第２給電端子との間に前記第１給電端子及び前記第２給電端子に隣接して配置された一つの入力端子と、
前記筐体内に設けられ、前記入力端子に入力された信号に基づいて動作するように構成された動作部と、
を備えた電力供給装置。
【請求項２】
前記筐体内に設けられ、前記第１給電端子と前記電力供給部とを接続する給電ラインと、前記第２給電端子に接続される基準電位ラインと、前記入力端子と前記動作部とを接続する入力信号ラインとが形成された回路基板を備え、
前記給電ラインは、少なくとも一部が前記入力信号ラインに沿って延びている
請求項１に記載の電力供給装置。
【請求項３】
前記入力信号ラインは、少なくとも一部が前記給電ラインと前記基準電位ラインに挟まれている
請求項２に記載の電力供給装置。
【請求項４】
前記第１給電端子、前記第２給電端子及び前記入力端子は、導電性の線条部材を含んで構成され、
前記線条部材は、
前記回路基板に固定された固定端と、
前記筐体から露出し、前記筐体の内外方向へ揺動可能な自由端と、
前記固定端と前記自由端との間に形成され、巻き締め方向又は巻き戻り方向の復元力により前記自由端を前記筐体の外側方向へ付勢するつる巻き部と、
を有し、
前記第１給電端子、前記第２給電端子及び前記入力端子は、それぞれの前記つる巻き部が同軸状に隣接するように互いに平行に配置されている
請求項２に記載の電力供給装置。
【請求項５】
筐体と、前記筐体から露出する第１給電端子及び第２給電端子と、前記筐体内に設けられ、前記第１給電端子及び前記第２給電端子を互いに異なる固定電位に設定するように構成された電力供給部と、前記筐体から露出し、前記第１給電端子と前記第２給電端子との間に前記第１給電端子及び前記第２給電端子に隣接して配置された一つの入力端子と、前記筐体内に設けられ、前記入力端子に入力された信号に基づいて動作するように構成された動作部と、を備えた電力供給装置から、電力が供給される携帯電子機器であって、
携帯筐体と、
前記携帯筐体から露出し、当該携帯筐体を前記電力供給装置に取り付けた際に、前記第１給電端子、前記第２給電端子及び前記入力端子のそれぞれに当接して通電可能な第１受電端子、第２受電端子及び出力端子と、
前記第１受電端子及び第２受電端子へ供給された電力を前記携帯筐体に接続されたバッテリに充電する充電部と、
前記第１受電端子及び第２受電端子へ供給された電力、並びに、前記バッテリからの電力の少なくとも一方の電力により駆動され、前記出力端子へ出力する信号を生成するように構成された信号生成部と、
を備えた携帯電子機器。
【請求項６】
前記信号生成部は、音響信号を生成するように構成されている
請求項５に記載の携帯電子機器。
【請求項７】
前記携帯筐体に設けられ、前記携帯筐体の内部の回路と前記携帯筐体の外部の回路とを接続可能とするコネクタと、
前記第１受電端子又は前記第２受電端子は、前記出力端子よりも前記コネクタに近い位置に設けられている
請求項６に記載の携帯電子機器。
【発明の詳細な説明】
【技術分野】
【０００１】
本発明は、携帯電話機等の電子機器へ電力を供給する電力供給装置及び当該電力供給装置に接続される携帯電子機器に関する。
【背景技術】
【０００２】
携帯電話機のバッテリを充電するための充電台（電力供給装置）にスピーカやアンプ等を設け、携帯電話機において生成した音響信号を充電台のスピーカにより音響に変換して出力する技術が知られている（特許文献１）。特許文献１の充電台には、携帯電話機に電力を供給するための端子に加えて、音響信号が入力される入力端子が設けられている。携帯電話機が充電のために充電台に載置されると、携帯電話機に設けられた出力端子と充電台の入力端子とが当接する。携帯電話機において生成された音響信号は、出力端子及び入力端子を経由して充電台に出力される。【０００３】
なお、金属製の線状部材により充電台の端子を形成するとともに、線状部材の中途につる巻き部を形成し、つる巻き部の付勢力により充電台の端子と携帯電話機の端子とを当接させる技術も知られている（特許文献２）。
【特許文献１】特開２００３−７９０６１号公報
【特許文献２】特開２０００−１９５５６１号公報
【発明の開示】
【発明が解決しようとする課題】
【０００４】
接続端子は筐体から露出していることから、外来電波等の電磁波が入射しやすく、また、ユーザの手や筐体表面に帯電した静電気も流れ込みやすい。すなわち、接続端子からノイズが混入しやすい。そして、ノイズの混入は、充電台のスピーカの音質低下等を招く。しかし、特許文献１では、接続端子からのノイズの混入低減については開示されていない。【０００５】
信号の入出力のための接続端子へのノイズの混入を低減できる電力供給装置及び当該電力供給装置に接続される携帯電子機器が提供されることが望ましい。
【課題を解決するための手段】
【０００６】
本発明の電力供給装置は、筐体と、前記筐体から露出する第１給電端子及び第２給電端子と、前記筐体内に設けられ、前記第１給電端子及び前記第２給電端子を互いに異なる固定電位に設定するように構成された電力供給部と、前記筐体から露出し、前記第１給電端子と前記第２給電端子との間に前記第１給電端子及び前記第２給電端子に隣接して配置された一つの入力端子と、前記筐体内に設けられ、前記入力端子に入力された信号に基づいて動作するように構成された動作部と、を備える。【０００７】
好適には、前記筐体内に設けられ、前記第１給電端子と前記電力供給部とを接続する給電ラインと、前記第２給電端子に接続される基準電位ラインと、前記入力端子と前記動作部とを接続する入力信号ラインとが形成された回路基板を備え、前記給電ラインは、少なくとも一部が前記入力信号ラインに沿って延びている。【０００８】
好適には、前記入力信号ラインは、少なくとも一部が前記給電ラインと前記基準電位ラインに挟まれている。【０００９】
好適には、前記第１給電端子、前記第２給電端子及び前記入力端子は、導電性の線条部材を含んで構成され、前記線条部材は、前記回路基板に固定された固定端と、前記筐体から露出し、前記筐体の内外方向へ揺動可能な自由端と、前記固定端と前記自由端との間に形成され、巻き締め方向又は巻き戻り方向の復元力により前記自由端を前記筐体の外側方向へ付勢するつる巻き部と、を有し、前記第１給電端子、前記第２給電端子及び前記入力端子は、それぞれの前記つる巻き部が同軸状に隣接するように互いに平行に配置されている。【００１０】
本発明の携帯電子機器は、筐体と、前記筐体から露出する第１給電端子及び第２給電端子と、前記筐体内に設けられ、前記第１給電端子及び前記第２給電端子を互いに異なる固定電位に設定するように構成された電力供給部と、前記筐体から露出し、前記第１給電端子と前記第２給電端子との間に前記第１給電端子及び前記第２給電端子に隣接して配置された一つの入力端子と、前記筐体内に設けられ、前記入力端子に入力された信号に基づいて動作するように構成された動作部と、を備えた電力供給装置から、電力が供給される携帯電子機器であって、携帯筐体と、前記携帯筐体から露出し、当該携帯筐体を前記電力供給装置に取り付けた際に、前記第１給電端子、前記第２給電端子及び前記入力端子のそれぞれに当接して通電可能な第１受電端子、第２受電端子及び出力端子と、前記第１受電端子及び第２受電端子へ供給された電力を前記携帯筐体に接続されたバッテリに充電する充電部と、前記第１受電端子及び第２受電端子へ供給された電力、並びに、前記バッテリからの電力の少なくとも一方の電力により駆動され、前記出力端子へ出力する信号を生成するように構成された信号生成部と、を備える。【００１１】
好適には、前記信号生成部は、音響信号を生成するように構成されている。【００１２】
好適には、前記携帯筐体に設けられ、前記携帯筐体の内部の回路と前記携帯筐体の外部の回路とを接続可能とするコネクタと、前記第１受電端子又は前記第２受電端子は、前記出力端子よりも前記コネクタに近い位置に設けられている。
【発明の効果】
【００１３】
本発明によれば、信号の入出力のための接続端子へのノイズの混入を低減できる。
【図面の簡単な説明】
【００１４】
【図１】本発明の実施形態に係る携帯電子ユニットの携帯電話機及びクレードル装置を示す一部に透視図を含む正面図。
【図２】図１Ａ〜図１Ｃの携帯電子ユニットを、携帯電話機をクレードル装置に載置した状態で示す一部に透視図を含む正面図。
【図３】図１Ａ〜図１Ｃの携帯電子ユニットを、携帯電話機をクレードル装置に載置した状態で示す一部に透視図を含む側面図。
【図４】図１Ａ〜図１Ｃの携帯電話機とクレードル装置との接続方法を説明する図。
【図５】図１Ａ〜図１Ｃの携帯電子ユニットの信号処理系の構成を示すブロック図。
【図６】図１Ａ〜図１Ｃのクレードル装置の増幅器周辺の回路図。
【符号の説明】
【００１５】
１…携帯電話ユニット（携帯電子ユニット）、２…携帯電話機（携帯電子機器）、３…クレードル装置（外部スピーカ装置）、５…受話筐体（携帯筐体）、６…送話筐体（携帯筐体）、１８…筐体、２１Ｐ…プラス給電端子、２１Ｎ…マイナス給電端子、２１Ｓ…入力端子、２３…スピーカ、３３…音響処理部（信号生成部）、５１…増幅器（動作部）、５２…充電器（電力供給部）。
【発明を実施するための最良の形態】
【００１６】
図１Ａ〜図１Ｃは、本発明の第１の実施形態に係る携帯電話機２及びクレードル装置３からなる携帯電話ユニット（携帯電子ユニット）１を示す一部に透視図を含む平面図であり、図１Ａはクレードル装置３を示し、図１Ｂは閉状態の携帯電話機２を示し、図１Ｃは開状態の携帯電話機２を示している。なお、携帯電話機２は携帯電子機器の一例であり、クレードル装置は電力供給装置の一例である。【００１７】
図２Ａ及び図２Ｂは、携帯電話機２をクレードル装置３に載置した状態を示す一部に透視図を含む平面図であり、図２Ａは携帯電話機２を閉状態にした場合を、図２Ｂは携帯電話機２を開状態にした場合を示している。【００１８】
図３Ａ及び図３Ｂは、携帯電話機２をクレードル装置３に載置した状態を示す一部に透視図を含む側面図であり、図３Ａは携帯電話機２を閉状態にした場合を、図３Ｂは携帯電話機２を開状態にした場合を示している。【００１９】
受話筐体５及び送話筐体６は、それぞれの端部が連結部７により連結されており、携帯電話機２は、連結部７を回動の中心として開閉可能である。受話筐体５及び送話筐体６は、それぞれ概ね薄型直方体に形成されており、閉状態では互いに重ね合わされ、一方の筐体側から他方の筐体側を見たときに互いの輪郭が略一致するようになっている。【００２０】
受話筐体５は、例えば樹脂により略薄型直方体状に形成されている。受話筐体５には、閉状態で送話筐体６に対向する対向面に画像を表示する表示部９が設けられている。表示部９は、例えば液晶表示ディスプレイによって構成されている。なお、受話筐体５には、この他、通話用のスピーカ３９（図５参照）が設けられ、当該スピーカの放音口１０が対向面に設けられている。【００２１】
送話筐体６は、例えば樹脂により略薄型直方体状に形成されている。送話筐体６には、ユーザの操作を受け付ける操作部１２、電波の送受信を行うメインアンテナ１３及びサブアンテナ１４、報知音等を出力するスピーカ１５、通話用のマイクロフォン３５（図５参照）、マイクロフォン３５の集音孔１６、スピーカ１５の放音孔１７が設けられている。【００２２】
送話筐体６の背面側（閉状態において受話筐体５と対向する面と反対側）には、バッテリ３８（図５参照）の充電のために電力の供給を受けるプラス受電端子２０Ｐ、マイナス受電端子２０Ｎ、音響信号を出力するための出力端子２０Ｓ（以下、単に「端子２０」といい、これらを区別しないことがある。）が露出している。なお、プラス受電端子２０Ｐ及びマイナス受電端子２０Ｎは、第１受電端子及び第２受電端子の一例である。【００２３】
クレードル装置３は、筐体１８と、クレードル装置３に電力を供給するための充電器５２（図１Ａ）と、携帯電話機２の載置を検出するためのメカスイッチ４１と、携帯電話機２において生成された音響信号を音響に変換して出力するスピーカ２３とを備えている。なお、充電器５２は電力供給部の一例である。【００２４】
また、クレードル装置３には、携帯電話機２に電力を供給するためのプラス給電端子２１Ｐ、マイナス給電端子２１Ｎ、携帯電話機２から音響信号が入力される入力端子２１Ｓ（以下、単に「端子２１」といい、これらを区別しないことがある。）が露出している。なお、プラス給電端子２１Ｐ及びマイナス給電端子２１Ｎは第１給電端子及び第２給電端子の一例である。【００２５】
筐体１８は、例えば、机上などに載置される下部カバー１８ａと、下部カバー１８ａに被せられる上部カバー１８ｂとを備えている。下部カバー１８ａ及び上部カバー１８ｂは例えば樹脂により形成されている。上部カバー１８ｂは、筐体１８が載置される面に対して傾斜するように下部カバー１８ａに被せられており、筐体１８は、全体として、載置される面（机面等）に対して傾斜する傾斜面１８ｃを有する台形状に形成されている。【００２６】
筐体１８の上面には、携帯電話機２を載置するための凹部（載置部）２５が形成されている。凹部２５は、傾斜面１８ｃの下方側に設けられている。凹部２５は、携帯電話機２の送話筐体６が嵌合する形状に形成されるとともに、送話筐体６の背面が当接する底部が、クレードル装置３が載置される面（机面等）に対して傾斜するように形成されている。携帯電話機２は、連結部７側を傾斜面１８ｃの上方側に向けて、送話筐体６が凹部２５に嵌合挿入されることにより、クレードル装置３に載置されている。【００２７】
図３Ａ及び図３Ｂに示すように、凹部２５の深さは送話筐体６の厚さと略同等又はそれ以下である。従って、携帯電話機２を凹部２５内に載置した状態で、携帯電話機２を開閉しても、傾斜面１８ｃの凹部２５周縁は受話筐体５に当接せず、携帯電話機２の開閉は妨げられない。【００２８】
充電器５２は、ＡＣアダプタにより構成され、コード１９により筐体１８内部の電気回路と接続されている。充電器５２は、電源端子５２ａを備えており、電源端子５２ａが、商用周波数の電力を供給するための電源レセプタクルに挿入されることにより、外部電源からの電力が入力される。充電器５２は、外部電源から供給された交流電流を適宜な電圧の直流電流に変換し、コード１９を介して筐体１８内部の回路基板に電力を供給する。【００２９】
なお、コード１９の筐体１８側の端部にはコネクタ５３が設けられている。コネクタ５３は、筐体１８に設けられた不図示のコネクタと接続又は当該コネクタから取り外し可能であるとともに、携帯電話機２に設けられた不図示のコネクタと接続又は当該コネクタから取り外し可能である。すなわち、コネクタ５３を携帯電話機２に接続して、充電器５２により直接的に携帯電話機２を充電することもできる。【００３０】
メカスイッチ４１は、例えば押圧式のスイッチにより構成されており、凹部２５に携帯電話機２が載置されることによりオンされるとともに、凹部２５から携帯電話機２が取り外されることによりオフされる。【００３１】
スピーカ２３は、凹部２５よりも傾斜面１８ｃの上方側に設けられている。スピーカ２３は、放音面が傾斜面１８ｃの裏面に対向するように（上方を向くように）配置されており、傾斜面１８ｃには、スピーカ２３により出力された音響を放音するための放音孔２４が設けられている。【００３２】
図４Ａ及び図４Ｂは、携帯電話機２とクレードル装置３との電気的な接続方法を説明する図であり、図４Ａは携帯電話機２及びクレードル装置３の内部の斜視図であり、図４Ｂはクレードル装置３の内部の回路基板の背面図（図４Ａの下方から見た図）である。なお、図４Ａにおいて紙面右側が図１Ａ〜図１Ｃの紙面上方側である。また、図４Ｂは、回路基板の導電層のパターン等を概念的に示すものであり、細部は省略されている。【００３３】
携帯電話機２の送話筐体６内部には、回路基板４２が設けられている。回路基板４２は、例えば樹脂をベースとしたプリント配線基板により構成されている。回路基板４２には、ＩＣ（不図示）、端子２０、コネクタ４３等の種々の電子部品が実装されている。【００３４】
図１Ｂ及び図４Ａに示すように、携帯電話機２の３つの端子２０は、連結部７側（図４Ａ及び図４Ｂでは紙面右側）から、プラス受電端子２０Ｐ、出力端子２０Ｓ、マイナス受電端子２０Ｎの順に一列に配列されている。すなわち、出力端子２０Ｓは、プラス受電端子２０Ｐと、マイナス受電端子２０Ｎとの間に挟まれている。なお、配列方向は適宜に設定してよいが、例えば回路基板４２の縁部に沿った方向である。【００３５】
端子２０は、金属等の導電性部材により構成されており、板状の接触部２０ａと、接触部２０ａと回路基板４２とを電気的に接続する導電部２０ｂとを備えている。接触部２０ａは、回路基板４２よりも背面側（図４Ａ及び図４Ｂの紙面下方側）に設けられ、送話筐体６の背面に形成された不図示の開口から露出している。導電部２０ｂは接触部２０ａから回路基板４２に延びて、回路基板４２の導電パターンに接続されている。【００３６】
コネクタ４３は、携帯電話機２と、他の機器とを電気的に接続するためのものである。換言すれば、携帯電話機２の筐体内部の回路と、携帯電話機２の筐体外部の回路とを電気的に接続するためのものである。他の機器は、例えば、別の携帯電話機、デジタルカメラ、ノートパソコンである。【００３７】
コネクタ４３は、回路基板４２の縁部に設けられ、送話筐体６の側面（図１Ｂの紙面左側）から露出可能である。コネクタ４３の露出部分には他の機器のコネクタ４４が挿入される凹部（不図示）が設けられている。当該凹部には回路基板４２と電気的に接続されるとともに、他の機器のコネクタ４４の端子と当接する端子（不図示）が配されている。【００３８】
コネクタ４３は、３つの端子２０に連続して配列され、マイナス受電端子２０Ｎ側に配置されている。すなわち、マイナス受電端子２０Ｎは、出力端子２０Ｓよりもコネクタ４３に近い位置に配置されている。なお、コネクタ４３は、プラス受電端子２０Ｐ側に配置されていてもよい。【００３９】
クレードル装置３の筐体１８内部には、回路基板４５が設けられている。回路基板４５は、例えば樹脂をベースとしたプリント配線基板である。回路基板４５は、クレードル装置３の底部側（図４Ａの紙面下方側）に実装面Ｓ１を有する片面基板として構成されている。すなわち、回路基板４５は、ベースとなる樹脂性の絶縁層に対して片面側にのみ導電性のパターン層が形成されている。ただし、回路基板４５は、両面側に実装面を有するものであってもよい。回路基板４５には、端子２１や増幅器５１等の種々の電子部品が実装されている。なお、増幅器５１は動作部の一例である。【００４０】
端子２１は、金属等の導電性を有する線条部材により構成されている。端子２１は、回路基板４５に固定される固定端２１ａと、回路基板４５（クレードル装置２の筐体１８）に対して揺動可能な自由端２１ｂとを有している。端子２１は回路基板４５に形成された開口部４５ａに挿通されており、固定端２１ａは回路基板４５の実装面Ｓ１側に、自由端２１ｂは実装面Ｓ１とは反対側へ配置されている。端子２１は、平面視において自由端２１ｂが回路基板４５の外側へ位置する程度まで延びている。固定端２１ａは回路基板４５の実装面Ｓ１に固定されて回路基板４５と電気的に接続されている。自由端２１ｂは、上方側へ凸となる凸部を有しており、当該凸部はクレードル装置３の凹部２５の底部に形成された開口から筐体外側へ突出する位置と、当該突出する位置から筐体内側へ退避した位置との間で揺動可能である。【００４１】
携帯電話機２がクレードル装置３の凹部２５に載置されると、携帯電話機２のプラス受電端子２０Ｐ、マイナス受電端子２０Ｎ及び出力端子２０Ｓの接触部２０ａは、クレードル装置３のプラス給電端子２１Ｐ、マイナス給電端子２１Ｎ、入力端子２１Ｓの自由端２１ｂの凸部にそれぞれ当接する。これにより、携帯電話機２とクレードル装置３とは互いに電気的に接続される。【００４２】
固定端２１ａから自由端２１ｂまでの中途には、線条部材を適宜な回数巻いたつる巻き部２１ｃが設けられている。具体的には、つる巻き部２１ｃは、回路基板４５の開口部４５ａに配置されている。プラス給電端子２１Ｐ、マイナス給電端子２１Ｎ、入力端子２１Ｓは、つる巻き部２１ｃが同軸状に隣接するように互いに平行に配置されている。携帯電話機２が凹部２５に載置され、携帯電話機２の端子２０によりクレードル装置３の端子２１の自由端２１ｂがクレードル装置３の筐体内部側へ押し込められると、つる巻き部２１ｃは巻き締め方向に弾性変形し、巻き戻し方向への復元力により自由端２１ｂを筐体外部側へ付勢する。なお、つる巻き部２１ｃは、巻き締め方向への復元力により自由端２１ｂを筐体外部側へ付勢するように構成されていてもよい。【００４３】
図４Ｂに示すように、回路基板４５には、給電ライン４６、基準電位ライン４７、入力信号ライン４８が設けられている。各ラインは、回路基板４５のベースとなる絶縁性の樹脂に導電性のパターンがプリントされて形成されたものである。なお、各ラインは絶縁膜で覆われている。【００４４】
給電ライン４６は、充電器５２と、プラス給電端子２１Ｐ等とを接続する。具体的には、給電ライン４６は、充電器５２のプラスの電位のラインと接続される接続部４６ａから延び、途中で端子側ライン４６ｂと増幅器側ライン４６ｃとに枝分かれする。端子側ライン４６ｂはプラス給電端子２１Ｐの固定端２１ａまで延びて固定端２１ａに接続される。増幅器側ライン４６ｃは増幅器５１まで延びて増幅器５１に接続される。【００４５】
基準電位ライン４７は、回路基板４５の基準電位を保持する。また、基準電位ライン４７は、充電器５２と、マイナス給電端子２１Ｎ等とを接続する。具体的には、基準電位ライン４７は、充電器５２のマイナスの電位のラインと接続される接続部４７ａから延び、途中で端子側ライン４７ｂと増幅器側ライン４７ｃとに枝分かれする。端子側ライン４７ｂはマイナス給電端子２１Ｎの固定端２１ａまで延びて固定端２１ａに接続される。増幅器側ライン４７ｃは増幅器５１まで延びて増幅器５１に接続される。基準電位ライン４７は、回路基板４５の縁部に沿って、回路基板４５を１周するように設けられている。【００４６】
なお、上記のようにプラス給電端子２０Ｐ及びマイナス給電端子２０Ｎと、充電器５２とが接続されることにより、マイナス給電端子２０Ｎの電位は基準電位（固定電位）に、プラス給電端子２０Ｐの電位は基準電位とは異なる（高い）固定電位に設定され、プラス給電端子２０Ｐとマイナス給電端子２０Ｎとの間に直流の電力が供給される。【００４７】
入力信号ライン４８は、入力端子２１Ｓの固定端２１ａから増幅器５１まで延びて、入力端子２１Ｓと増幅器５１とを接続する。【００４８】
入力信号ライン４８は、少なくとも一部において給電ライン４６に沿って延びている。具体的には、入力端子２１Ｓの固定端２１ａからプラス給電端子２１Ｐの固定端２１ａへ延び、プラス給電端子２１Ｐの固定端２１ａ付近から、給電ライン４６に対して平行かつ隣接して延びている。なお、入力信号ライン４８の全体が給電ライン４６に沿って延びるようにしてもよい。また、給電ライン４６は、少なくとも一部において入力信号ライン４８に沿って延びている。【００４９】
また、入力信号ライン４８は、少なくとも一部において基準電位ライン４７に沿って延びている。具体的には、基準電位ライン４７は、マイナス給電端子２１Ｎの固定端２１ａから、入力端子２１Ｓの固定端２１ａ方向へ延びており、入力信号ライン４８は、入力端子２１Ｓの固定端２１ａ付近から基準電位ライン４７に対して平行かつ隣接して延びている。さらに、プラス給電端子２１Ｐの固定端２１ａ付近からは、給電ライン４６と基準電位ライン４７とに、平行かつ隣接して挟まれている。【００５０】
入力信号ライン４８は、入力端子２１Ｓとの接続部分が、給電ライン４６とプラス給電端子２１Ｐとの接続部分、及び、基準電位ライン４７とマイナス給電端子２１Ｎとの接続部分に挟まれ、かつ、入力信号ライン４８、給電ライン４６、基準電位ライン４７は互いに交差することなく増幅器５１まで延びて増幅器５１に接続されている。すなわち、入力信号ライン４８は、その全体が、給電ライン４６及び基準電位ライン４７に挟まれている。なお、入力信号ライン４８の一部が給電ライン４６及び基準電位ライン４７に挟まれるようにしてもよい。【００５１】
また、端子２１は、固定端２１ａ側から自由端２１ｂ側へ開口部４５ａを通過した後、図４Ｂの紙面右側の基準電位ライン４７を横切る位置まで延びている。従って、入力端子２１Ｓの固定端２１ａ側及び入力信号ライン４８の全体は、平面的に見て、プラス給電端子２１Ｐ、給電ライン４６、マイナス給電端子２１Ｎ、基準電位ライン４７により閉じられた領域に配置されている。【００５２】
図５は、携帯電話ユニット１の信号処理系の概略構成を示すブロック図である。【００５３】
携帯電話機２は、各種電子素子の動作を制御する制御部３１と、無線通信を行うための通信処理部３２と、音響出力に係る処理を行う音響処理部３３と、充電回路３４とを備えている。なお、携帯電話機２は、この他にも、制御部３１からの映像データを映像信号に変換して表示部９に出力する画像処理部等の種々の手段を備えるが図示は省略する。【００５４】
制御部３１は、例えばＣＰＵ、ＲＯＭ、ＲＡＭ等を含んだＩＣにより構成されており、ＣＰＵはＲＯＭに記録されたプログラムを実行し、操作部１２からの信号等に基づいて通信処理部３２、音響処理部３３等の動作を制御する。【００５５】
通信処理部３２は、高周波回路を含んで構成され、電波を利用した無線通信を行う。具体的には、通信処理部３２は、制御部３１等で処理された音響データ、画像データ等の各種データを変調して、メインアンテナ１３を介して送信する。また、通信処理部３２は、メインアンテナ１３及びサブアンテナ１４を介して受信した信号を復調して制御部３１等に出力する。【００５６】
音響処理部３３は、マイクロフォン３５からの音響信号を制御部３１に出力する。また、音響処理部３３は、通信処理部３２及び制御部３１を介して他の携帯電話機から送信された音響信号、制御部外部記憶装置に記憶された楽曲データに基づく音響信号等をミキシング、増幅するなどして、通話用のスピーカ３９、報知等に利用されるスピーカ１５及び出力端子２０Ｓに出力する。なお、音響信号は、音波の波形と相似の波形で電位が変動するものである。また、スピーカ２３は、小型化のさほど要求されないクレードル装置３側にレイアウトできるため、低音の出力可能な大容量スピーカを採用し、スピーカ１５を小型のもので構成する。これにより、音響処理部３３は、クレードル装置３の接続される状態においては、スピーカ１５の２つにそれぞれ左チャンネル右チャンネルの高音域を、スピーカ２３に低音域を出力するよう音響信号を振り分けてもよい。【００５７】
充電回路３４は、プラス受電端子２０Ｐ及びマイナス受電端子２０Ｎに供給された電力を適宜な電圧の電力に変換して、携帯電話機２の電源としてのバッテリ３８に供給する。また、バッテリ３８の充電状態等に応じてバッテリ３８への充電（電力供給）を開始したり、充電の中断を行う。【００５８】
携帯電話機２の各部３１〜３３はバッテリ３８から電力が供給されて駆動される。ただし、バッテリ３８の充電中等、携帯電話機２とクレードル装置３とが接続されている場合には、充電回路３４から各部３１〜３３に電力を供給するなど、バッテリ３８を介さずに、プラス受電端子２０Ｐ及びマイナス受電端子２０Ｎに供給された電力により駆動されてもよい。【００５９】
クレードル装置３は増幅器５１を備えている。増幅器５１は、入力端子２１Ｓを介して携帯電話機２から入力された音響信号を増幅してスピーカ２３に出力する。スピーカ２３では、増幅器５１から出力された音響信号を音響に変換して出力する。【００６０】
充電器５２に入力され、コード１９を介してクレードル装置３の筐体１８内部の回路に供給された直流電力は、プラス給電端子２１Ｐ、マイナス給電端子２１Ｎに出力されるとともに、増幅器５１に出力される。増幅器５１は充電器５２から電力が供給されて動作する。【００６１】
図６は、増幅器５１周辺の回路図である。なお、図６では、増幅器５１内部の構成は概念的なブロック図で示されている。また、バイパスコンデンサ等の詳細は省略している。【００６２】
増幅器５１は、例えばいわゆる差動出力形式の増幅回路により構成されており、入力端子５１ｂに入力された電気信号を、１対のトランジスタ５５（図６では１ブロックで示す）により増幅して、第１出力端子５１ｃ及び第２出力端子５１ｆから出力する。入力端子５１ｂは、入力信号ライン４８を介して入力端子２１Ｓと接続されている。第１出力端子５１ｃ及び第２出力端子５１ｆはスピーカ２３に接続されている。【００６３】
増幅器５１は、受電端子５１ｅに印加された電圧を、トランジスタ５５に印加して、入力端子５１ｂに入力された電気信号を増幅する。トランジスタ５５は、受電端子５１ｅから印加された電圧に応じた増幅率で音響信号を増幅する。受電端子５１ｅは、給電ライン４６（４６ｃ）を介して充電器５２のプラスの電位のラインに接続されている。また、受電端子５１ｅと充電器５２との間には、メカスイッチ４１が設けられている。なお、基準電位は、ＧＮＤ端子５１ｄが基準電位ライン４７（４７ｃ）に接続されることにより得られる。【００６４】
受電端子５１ｅからトランジスタ５５への電圧の印加は、制御端子５１ａの電圧の印加により制御される。例えば、受電端子５１ｅとトランジスタ５５との間にはスイッチング素子５６が設けられており、スイッチング素子５６は、制御端子５１ａに所定の電位以上の電圧が印加された場合には受電端子５１ｅとトランジスタ５５とを導通状態とし、制御端子５１ａに所定の電位以上の電圧が印加されない場合には受電端子５１ｅとトランジスタ５５とを非導通状態とする。従って、制御端子５１ａへの電圧の印加により、トランジスタ５５は動作状態又は非動作状態に切り換えられる。制御端子５１ａは、給電ライン４６を介して充電器５２のプラスの電位のラインに接続されている。なお、制御端子５１ａやスイッチング素子５６は省略されてもよい。【００６５】
以上の携帯電話ユニット１の動作を説明する。【００６６】
充電器５２が外部電源に接続された状態で、携帯電話機２の送話筐体６がクレードル装置３の凹部２５に載置されると、送話筐体６がクレードル装置３のメカスイッチ４１を押下して、メカスイッチ４１はオン状態となる。これにより、充電器５２からプラス給電端子２１Ｐ及びマイナス給電端子２１Ｎへ電力が供給されて携帯電話機２の充電が行われるとともに、充電器５２から増幅器５１の受電端子５１ｅ及び制御端子５１ａに電力が供給されて、増幅器５１は動作状態となる。そして、携帯電話機２から入力端子２１Ｓを介して増幅器５１の入力端子５１ｂに音響信号が入力されると、トランジスタ５５により増幅された音響信号が第１出力端子５１ｃ及び第２出力端子５１ｆを介してスピーカ２３に出力され、スピーカ２３により音響に変換されて放音される。【００６７】
一方、携帯電話機２が凹部２５から取り外されると、メカスイッチ４１はオフ状態となる。これにより、充電器５２からプラス給電端子２１Ｐ及びマイナス給電端子２１Ｎへの電力の供給が遮断されるとともに、増幅器５１への電力の供給も遮断され、増幅器５１は非動作状態となる。【００６８】
以上の実施形態によれば、クレードル装置３の入力端子２１Ｓは、プラス給電端子２１Ｐ及びマイナス給電端子２１Ｎに挟まれるとともに隣接して配置されていることから、入力端子２１Ｓに混入するノイズはプラス給電端子２１Ｐ及びマイナス給電端子２１Ｎにガードされ、入力端子２１Ｓに混入するノイズは低減される。すなわち、入力端子２１Ｓに入力される音響信号は、音波の波形と相似の波形で電位が変動する交流的なものであるのに対し、プラス給電端子２１Ｐ及びマイナス給電端子２１Ｎに供給される電力は直流であることから、入力端子２１Ｓは同電位（固定電位）で囲まれる状態となり、ノイズからガードされる。さらに、プラス給電端子２１Ｐ及びマイナス給電端子２１Ｎにより入力端子２１Ｓをガードすることから、入力端子２１Ｓをガードするために新たな部材を設けたり、多層基板とする必要がない。【００６９】
給電ライン４６の少なくとも一部は、入力信号ライン４８に沿って延びていることから、入力端子２１Ｓと同様に、入力信号ライン４８に混入するノイズが給電ライン４６によりガードされ、ノイズの低減が図られる。しかも、入力端子２１Ｓがプラス給電端子２１Ｐに隣接していることから、入力端子２１Ｓから入力信号ライン４８に至るまでの間も、プラス給電端子２１Ｐ及び給電ライン４６により隙間なくガードでき、ノイズの混入が確実に防止される。【００７０】
入力信号ライン４８は、給電ライン４６及び基準電位ライン４７に挟まれていることから、入力端子２１Ｓと同様に、入力信号ライン４８に混入するノイズが給電ライン４６及び基準電位ライン４７によりガードされ、ノイズの低減が図られる。しかも、入力端子２１Ｓがプラス給電端子２１Ｐ及びマイナス給電端子２１Ｎに挟まれていることから、入力端子２１Ｓから入力信号ライン４８に至るまでの間も、プラス給電端子２１Ｐ、マイナス給電端子２１Ｎ、給電ライン４６及び基準電位ライン４７により隙間なくガードでき、ノイズの混入が確実に防止される。【００７１】
端子２１は線条部材により形成されるとともに、つる巻き部２１ｃが形成されていることから、簡素な構成で、確実に端子２１と携帯電話機２の端子２０とを接続させることができるとともに回路基板４５に対して適宜な位置に接触部（自由端２１ｂ）を配置することができる。この場合、回路基板４５から線条部材が延び、さらには、つる巻き部２１ｃが形成されることにより、入力端子２１Ｓにノイズが混入する可能性が高くなるが、各端子２１は、つる巻き部２１ｃが同軸状に隣接するように互いに平行に配置されており、入力端子２１Ｓはプラス給電端子２１Ｐ及びマイナス給電端子２１Ｎにより確実にガードされ、ノイズの低減が図られる。【００７２】
携帯電話機２の出力端子２０Ｓは、プラス受電端子２０Ｐ及びマイナス受電端子２０Ｎに挟まれていることから、入力端子２１Ｓと同様に、プラス受電端子２０Ｐ及びマイナス受電端子２０Ｎによりガードされ、ノイズが低減される。また、出力端子２０Ｓをガードするために新たな部材等を必要としないことから、費用削減、携帯電話機２の小型化、携帯性の向上等が図られる。【００７３】
携帯電話機２の出力端子２０Ｓからクレードル装置３の入力端子２１Ｓへ出力される信号は音響信号であることから、極めて交流的であり、プラス給電端子２１Ｐ等によるガードが有効に機能する。【００７４】
コネクタ４３周辺では、コネクタ４３における電気信号の入出力によりノイズが発生しやすいのに対し、マイナス受電端子２０Ｎが出力端子２０Ｓよりもコネクタ４３に近い位置に設けられていることから、出力端子２０Ｓはマイナス受電端子２０Ｎによりガードされ、ノイズの低減が図られる。換言すれば、コネクタ４３と出力端子２０Ｓとを近づけて配置することができ、携帯電話機２の小型化が図られる。【００７５】
本発明は以上の実施形態に限定されない。【００７６】
電力供給装置は、電力供給用の端子と、信号入力用の端子とを備えていればよく、携帯電話機の充電用のものに限定されない。例えば、バッテリを有さない電子機器に、駆動用の電力を供給するものであってもよい。【００７７】
携帯電子機器は、電力供給装置から電力の供給を受けるための端子と、電力供給装置に信号を出力するための端子を備えていればよく、携帯電話機に限定されない。例えば、ノートパソコン、ＰＤＡであってもよい。【００７８】
電力供給装置の動作部は、入力端子に入力された信号に基づいて動作するものであればよく、増幅器に限定されない。例えば、増幅器、イコライザ、フィルタのように、入力端子に入力された信号を変化させて出力する信号出力部であってもよいし、入力端子に入力された信号を参照して動作するモータや表示器等の駆動部であってもよいし、入力端子に入力された信号に応じた演算や記録を行い、当該信号に含まれる情報を加工する情報処理部であってもよい。【００７９】
入力端子に入力される信号は、電位の変動によりなんらかの情報を伝達するものであればよく、音響信号に限定されない。例えば、センサの検出信号、モータ等の制御信号、映像信号であってもよい。【００８０】
なお、日本国特許出願第２００６−０４００４７（２００６年２月１６日出願）の全内容が、参照により、本願明細書に組み込まれている。
【図１】
2007094334.tif 000003
【図２】
2007094334.tif 000004
【図３】
2007094334.tif 000005
【図４】
2007094334.tif 000006
【図５】
2007094334.tif 000007
【図６】
2007094334.tif 000008
【国際調査報告】
2007094334.tif 000009
2007094334.tif 000010
2007094334.tif 000011
2007094334.tif 000012